(57)【特許請求の範囲】
【請求項１】
水面上のボートをクレーンにより吊り上げ、水辺線（Ｌ）に隣接して設置された複数の収納スペース（Ｓ）に収納するようにしたボート立体収納装置において、前後左右に間隔をおいて複数の支柱（１ａ）が立設され、該支柱（１ａ）に上下に間隔をおいて複数の横梁（１ｂ）が配設されて構成された直方体状の架構（１）内に前記複数の収納スペース（Ｓ）が形成され、水面上のボート（２）をボートトレイ（４）に載置して吊り上げ所望の収納スペース（Ｓ）に向けて移動する天上クレーン（７）が設けられ、前記天井クレーン（７）と収納スペース（Ｓ）の床上の間でボートトレイ（４）を受け渡しするスライド床（９）が前記収納スペース（Ｓ）にスライド自在に設けられ、水密性に構成された本体部を有しその所定部位に排水孔栓（４ｄ）で開閉される排水孔（４ｂ）が設けられるとともに、底部に船台（４ａ）が設置されたボートトレイ（４）が設けられ、前記排水孔（４ｂ）に着脱自在の排水管（４ｃ）を介して流れる排水を下方に導く排水縦管（５）が前記支柱（１ａ）に配設されていることを特徴とするボート立体収納装置。
【請求項２】
間隔をおいて並列された４本の支柱（１ａ）の列が水辺線（Ｌ）に隣接して立設され、同様の４本の支柱（１ａ）の列が奥行き方向に複数列立設され、各支柱（１ａ）の間に上下に間隔をおいて複数の梁（１ｂ）が適宜配設されて中央の２本の支柱（１ａ）の間に天井クレーン（７）の移動空間が形成されるとともに、該移動空間の両側に前記複数の収納スペース（Ｓ）が形成され、前記移動空間の天井に水面の上方から最後部の収納スペースに対応する場所まで前後に延びる走行レール（７ｂ）と該走行レール（７ｂ）に前後に移動可能に支持されたガーダー（７ａ）と該ガーダー（７ａ）に左右方向に移動可能に支持され前記ボートトレイ（４）を巻き上げる巻上機（６）とにより前記天井クレーン（７）が構成されている請求項１のボート立体収納装置。
【発明の詳細な説明】
【０００１】
【発明の属する技術分野】
本発明は、例えばフィッシング、クルージング、スポーツフィッシング、及びマルチパーパス用等のモータボートを陸揚げして立体的に収納するボート立体収納装置に関する。
【０００２】
【従来の技術】
従来、マリーンレジャーブームに伴うプレージャーボートの激増とそれに見合う河川などにおける係留施設の不足から、港湾・河川水域における無秩序または不法な係留が顕著となり、その結果、豪雨時などに川の流れを阻害して水害の原因になったり、船舶の航行の障害になったりする治水上の問題や、係留箇所周辺での不法駐車やゴミの投棄といった社会環境上の問題に対し、具体的な解決策が求められており、この種のボート収納装置としては、小規模の散発的な導入はあるが、港湾・河川管理者側とボートの所有者側を総合した環境の問題としての取組みは遅れている。
【０００３】
【発明が解決しようとする課題】
したがって、本発明は、上記問題に対処し、港湾・河川水域において、近時とみに激増している無秩序または不法係留ボートによりもたらされている水上交通障害や水質汚染問題を解消し、公害防止に役立つ収納装置を提供することを目的としている。
【０００４】
また、本発明は、ボートの所有者にとって比較的容易、かつ安価に利用でき、ボートの維持保守の点からも利用価値の高い収納装置を提供することを目的としている。
【０００５】
【課題を解決するための手段】
本発明によれば、水面上のボートをクレーンにより吊り上げ、水辺線（Ｌ）に隣接して設置された複数の収納スペース（Ｓ）に収納するようにしたボート立体収納装置において、前後左右に間隔をおいて複数の支柱（１ａ）が立設され、該支柱（１ａ）に上下に間隔をおいて複数の横梁（１ｂ）が配設されて構成された直方体状の架構（１）内に前記複数の収納スペース（Ｓ）が形成され、水面上のボート（２）をボートトレイ（４）に載置して吊り上げ所望の収納スペース（Ｓ）に向けて移動する天上クレーン（７）が設けられ、前記天井クレーン（７）と収納スペース（Ｓ）の床上の間でボートトレイ（４）を受け渡しするスライド床（９）が前記収納スペース（Ｓ）にスライド自在に設けられ、水密性に構成された本体部を有しその所定部位に排水孔栓（４ｄ）で開閉される排水孔（４ｂ）が設けられるとともに、底部に船台（４ａ）が設置されたボートトレイ（４）が設けられ、前記排水孔（４ｂ）に着脱自在の排水管（４ｃ）を介して流れる排水を下方に導く排水縦管（５）が前記支柱（１ａ）に配設されている。
【０００６】
また本発明によれば、間隔をおいて並列された４本の支柱（１ａ）の列が水辺線（Ｌ）に隣接して立設され、同様の４本の支柱（１ａ）の列が奥行き方向（水辺線Ｌから遠ざかる方向）に複数列立設され、各支柱（１ａ）の間に上下に間隔をおいて複数の梁（１ｂ）が適宜配設されて中央の２本の支柱（１ａ）の間に天井クレーン（７）の移動空間が形成されるとともに、該移動空間の両側に前記複数の収納スペース（Ｓ）が形成され、前記移動空間の天井に水面の上方から最後部の収納スペースに対応する場所まで前後に延びる走行レール（７ｂ）と該走行レール（７ｂ）に前後に移動可能に支持されたガーダー（７ａ）と該ガーダー（７ａ）に左右方向に移動可能に支持され前記ボートトレイ（４）を巻き上げる巻上機（６）とにより前記天井クレーン（７）が構成されている。
【０００７】
したがって、本発明のボート収納装置を、水面域以外の親水公園等の水際地域に設置することで、ボートの陸揚げ収納、出庫着水が比較的容易にできる。そして、立体化して収納することにより、水際用地を効率的に利用し、施設の建設事業費と利用料金との低減化を可能にし、普及を広める結果を得る。
【０００８】
そして、ボートの陸揚げ収納、出庫着水を機械化し、かつ、ボート所有者が操作可能な装置とすることにより、所有者にとって比較的気軽に利用しやすい施設とすることができる。
【０００９】
さらに、本発明は、ボートトレイを備えることにより、ボートの付着油、洗浄水等が各トレイの排水管によって集合管で回収され、処理をして放流できるので、水質汚濁等の公害を防止できる。
【００１０】
そして、各ボートと船台とがトレイを付属しているので、上層階でボートの手入れ、掃除、水洗い等の作業をしても、下層階のボートを汚すことがないので、多層に収納することができる。
【００１１】
【発明の実施の形態】
以下、図面を参照して本発明の実施形態を説明する。
図１及び図２には、水辺線Ｌに沿って支柱１ａ及び梁１ｂで複数のボート収納スペースＳを３層に構築した架構１が示めされている。そして、その天井部分にはクレーン７が吊設された走行レール７ｂが設けられており、その端部は水上に張り出してバース１１に接岸したボート２を巻上機６で吊り上げ、架構１内の収納スペースＳに収納する様に形成されている。また、架構１の側面には、収納作業、ボート２の手入れ、装置の保守等のためにタラップ１ｃとプラットフォーム１ｄとが備えられている。なお、架構１は、水辺線Ｌに直交する方向のスパン数によってボート２の収納容量を増加することができる。
【００１２】
ボート２の収容は、バース１１にボート２を接岸させた状態でボートトレイ３または４に載せて陸揚げされる。なお、図示の符号１１ａは、ボート２及びボートトレイ３、４を防護する防舷材を示している。
【００１３】
図３〜図５には、架構１の第２層目以上にボート２を収容する場合に用いられる移動型のボートトレイ４の詳細が示されている。
ボートトレイ４は水密性に構成された本体部を有し、該本体部の長手方向の両端部にはそれぞれ排水孔４ｂが設けられており、底部には船台４ａが固定されている。その排水孔４ｂには、図６に示すように、トレイ４の外側に差し込み式締結金具付き可撓排水管４ｃが容易に脱着できるよう形成されている。ボート２の最終収納位置では、この排水管４ｃが装着され、支柱１ａに配設された受桝５ａに挿入されてトレイ４からの排水が排水縦管５に導かれる。なお、図６中の符号４ｄは、排水孔栓を示している。
【００１４】
図７及び図８には、２層目以上の上層にボート２を吊り上げ収納するための諸設備が示されている。ローヘッド形天井クレーン７は、ガーダ７ａ、走行レール７ｂ及びサドル７ｃ等で構成され、そのガーダ７ａに（水辺線Ｌに平行に）横行自在に巻上機６が設けられている。また、スライド用水平移動ホイスト８がガーダ８ａで横行自在に設けられている。
【００１５】
図９及び図１０をも参照し、スライド構造を形成するスライド床９は、床枠９ａ、スライド用ローラー９ｂ、引込みレール９ｃ、側部安全柵９ｄ、出入部安全柵９ｅ等から構成されている。また、スライド装置１０は、図１１〜図１６に示すように、送出用ローラー１０ａ、スライド用チェーン１０ｂ、スプロケット１０ｃ、及び駆動用ギヤードモーター１０ｄ等から構成されている。
【００１６】
図１７〜図２０には、架構１の地平部分の収納スペースにボート２をセットする定置型ボートトレイ３が示されている。ボートトレイ３は、枕木３ｆ上に置かれ、船台３ａ、排水孔３ｂ、さし込み式結合金具付き可撓排水管３ｃ、排水孔栓３ｄ等は、前記移動型ボートトレイ４と同様である。ボート２を出し入れする部分の側板は、トレイ３底部に水留め高さを残して切り欠きが施され、この部分には、トレイ３内部から油水等が外部に飛び散らないように、脱着式シール幕３ｅが装着されている。
【００１７】
以下、ボート２を架構１の第３層目に陸揚げ収容する場合について説明する。バース１１に接岸したボート２は、予め水中に準備されたボートトレイ４と共に、巻上機６によって吊り上げられ、離水を開始する（図１、図２）。この際、ボートトレイ４内の水は、ボトートレイ４の長手方向前後２か所の排水孔４ｂから外部に自然排出される。そして、ボート２は、その収納位置に応じた高さまで吊り上げられる。
【００１８】
次いで、ボート２はローヘッド形天井クレーン７によって収納位置に応じたスパンの中心線まで搬送される。
【００１９】
一方、収納位置においては、スライド床９をスライド装置１０によって所定位置まで繰り出すと共に、スライド用水平移動ホイスト８により保持した後、安全柵９ｅを取り外す。
【００２０】
そして、ボート２は、巻上機６の横行と巻き下ろしによってスライド床９の所定位置にセットされる。こうして、ボート２を載置したスライド床９は、送出用ローラー１０ａ、スライド用チェーン１０ｂ等で構成されたスライド装置１０によって最終収納位置まで引込まれる。この時、スライド用水平移動ホイスト８を同時に作動させる（図７、図８）。
【００２１】
最後に、ボート２の収納作業の完了を確認し、巻上機６付き吊り金具６ａのワイヤー６ｂならびにスライド用水平移動ホイスト８のワイヤーを取り外す。
【００２２】
次ぎに、ボート２の収納容量の小さい実施形態を図２１及び図２２を参照して説明する。
収納スペースＳは２層であり、ボート収納容量は８隻であるが、必要に応じて１２隻にすることも可能である。そして、ボート２の搬送用のホイスト２１が吊設されたトロリービーム２２が、各収納スペースのそれぞれに対応して設けられている。
【００２３】
ボート２は、バース１１にて直上で所定高さまで吊り上げられ、その位置で９０度旋回させた後、トロリービーム２２で収納スペースＳに導かれる。旋回とそれ以後のボート２の姿勢は、かいしゃくロープによって操作される。
【００２４】
また、任意のボート２を選択して収納・出庫できる多層円形循環方式の機構を応用した実施形態を図２３に示す。
このボート収納装置３１は、２層式で、水辺線Ｌに直交する長手方向の長さによって収納容量を増加することができる。
【００２５】
この装置３１では、特定のボート２を１隻収納あるいは出庫させる時に、収納中の他のボートの全てを循環移動させなければならない必然性があるが、選定したボートのみの収納・出庫ができるメリットがある。
【００２６】
【発明の効果】
本発明は、以上説明したように構成され、以下の効果を奏する。
【００２７】
（１）  ボートの遊休時には、常に陸上に収納されることになり、水面域を占有することがなくなり、水路障害になることなく、かつ、台風時等の損傷や事故もなくすことができる。
【００２８】
（２）  ボートをドライ状態にて保管できるので、基本的には維持保守上のメリットが大きい。
【００２９】
（３）  ボートを水面域に係留保管することがないので、ボートからの漏洩油水で水域が汚染されることがなく公害防止にも役立つ。
【００３０】
（４）  ボートは装置内のボートトレイ上に保管され、保管中に船底手入れまで可能であり、漏洩油水の処理も容易である。さらに、シートカバーの装着が容易で保守効果が一層向上する。
【００３１】
（５）  ボートの陸揚げ収容及び出庫着水の作業は、マン−マシンシステムにて行え、電子制御の導入のウエイトを増すことで、より自動化、省力化が可能である。
【図面の簡単な説明】
【図１】本発明の一実施形態を示す縦断面図。
【図２】図１の平面図。
【図３】移動型ボートトレイを示す平面図。
【図４】図３の側面図。
【図５】図３のＢ−Ｂ矢視図。
【図６】移動型ボートトレイの排水孔部分の詳細を示す断面図。
【図７】ボートの収納作業を示す平面図。
【図８】図７の縦断面図。
【図９】スライド装置を示す平面図。
【図１０】スライド床を示す平面図。
【図１１】スライド装置を示す側面図。
【図１２】図１１のＣ−Ｃ矢視図。
【図１３】スライド用ローラーを示す縦断面図。
【図１４】図１１のＤ−Ｄ矢視図。
【図１５】図１１のＥ−Ｅ矢視図。
【図１６】図１１のＦ−Ｆ矢視図。
【図１７】定置型ボートトレイを示す平面図。
【図１８】図１７の側面図。
【図１９】図１７のＡ−Ａ矢視図。
【図２０】定置型ボートトレイの排水孔部分の詳細を示す断面図。
【図２１】本発明の別の実施形態を示す平面図。
【図２２】図２１の縦断面図。
【図２３】本発明のさらに別の実施形態を示す縦断面図。
【符号の説明】
１・・・架構
１ａ・・・支柱
１ｂ・・・梁
１ｃ・・・タラップ
１ｄ・・・プラットフォーム
２・・・ボート
３・・・ボートトレイ（定置型）
３ａ・・・船台
３ｂ・・・排水孔
３ｃ・・・差し込み式結合金具付可撓排水管
３ｄ・・・排水孔栓
３ｅ・・・シール幕
３ｆ・・・枕木
４・・・ボートトレイ（移動型）
４ａ・・・船台
４ｂ・・・排水孔
４ｃ・・・差し込み式結合金具付可撓排水管
４ｄ・・・排水孔栓
５・・・排水縦管
５ａ・・・受桝
６・・・巻上機
６ａ・・・吊り金具
６ｂ・・・ワイヤー
７・・・ローヘッド型天井クレーン
７ａ・・・ガーダ
７ｂ・・・走行レール
７ｃ・・・サドル
８・・・スライド用水平移動ホイスト
８ａ・・・ガーダ
９・・・スライド床
９ａ・・・床枠
９ｂ・・・スライド用ローラー
９ｃ・・・引込みレール
９ｄ、９ｅ・・・安全柵
１０・・・スライド装置
１０ａ・・・送出用ローラー
１０ｂ・・・スライド用チェーン
１０ｃ・・・スプロケット
１０ｄ・・・駆動用ギヤードモーター
１１・・・バース
１１ａ・・・防舷材
２１・・・ホイスト
２２・・・トロリービーム
３１・・・２層円形循環式収納装置
【図１】
0004036535.tif 000002
【図２】
0004036535.tif 000003
【図３】
0004036535.tif 000004
【図４】
0004036535.tif 000005
【図５】
0004036535.tif 000006
【図６】
0004036535.tif 000007
【図７】
0004036535.tif 000008
【図８】
0004036535.tif 000009
【図９】
0004036535.tif 000010
【図１０】
0004036535.tif 000011
【図１１】
0004036535.tif 000012
【図１２】
0004036535.tif 000013
【図１３】
0004036535.tif 000014
【図１４】
0004036535.tif 000015
【図１５】
0004036535.tif 000016
【図１６】
0004036535.tif 000017
【図１７】
0004036535.tif 000018
【図１８】
0004036535.tif 000019
【図１９】
0004036535.tif 000020
【図２０】
0004036535.tif 000021
【図２１】
0004036535.tif 000022
【図２２】
0004036535.tif 000023
【図２３】
0004036535.tif 000024